(57)【要約】【課題】ディスク全体の面振れを抑制することによって光ピックアップの走査精度を高める。【解決手段】ディスクトレイ１で搬入したディスクＤを、ディスクトレイ１から浮き上がった位置で回転させながら光ピックアップ６によって走査する。ディスクトレイ１の主開口２の口縁周面に傾斜案内面２１，２２を具備させることによって、ディスクＤとディスクトレイ１との隙間空間Ｓ内に吸い込まれる空気流をその隙間空間Ｓ内に滑らかに導入する。光ピックアップ６の外面に傾斜面６１，６２を具備させてもよい。ディスクトレイ１に、主開口２と共に第１補助開口７を具備させてもよい。ディスクトレイ２の上側に平板９を配備し、その兵馬９に第２補助開口８を具備させてもよい。【選択図】        図１
2004326911.tif 000002
【特許請求の範囲】
【請求項１】
開口を具備するディスクトレイに載架して搬入されたディスクを、そのディスクトレイから浮き上がった位置でクランプして回転させるクランプ機構を備え、そのクランプ機構によって上記ディスクを回転させながら光ピックアップによってディスク面を走査するディスク装置において、
上記開口に、ディスクの半径方向に沿って移動される上記光ピックアップの移動スペースを形成している主開口と、上記ディスクの回転軸線を挟んで上記主開口の反対側箇所に開設された第１補助開口とが含まれていると共に、上記ディスクトレイから浮き上がった位置で回転するディスクを挟んで上記ディスクトレイの反対側箇所に配備された平板の上記主開口との対向部位に第２補助開口が開設され、
上記主開口の口縁周面と上記第１補助開口の口縁周面とに、上記ディスクにおける上記主開口との対向部位及び上記第１補助開口との対向部位の回転方向に向かう上り勾配を付与することにより、それらの口縁周面を、ディスクの回転に伴ってそのディスクとディスクトレイとの隙間空間内にその開口を通して吸い込まれる空気流を上記隙間空間内に滑らかに導入する傾斜案内面として形成し、
上記主開口の口縁周面によって形成された上記傾斜案内面に対向する箇所での上記光ピックアップの外面形状が、当該傾斜案内面に沿う形状の傾斜面として形成され、
上記主開口と第１補助開口と第２補助開口との各形成箇所で発生する空気流の乱れ程度をバランスさせて上記ディスクの全体の面振れを抑制するようにしてあることを特徴とするディスク装置。
【請求項２】
開口を具備するディスクトレイに載架して搬入されたディスクを、そのディスクトレイから浮き上がった位置で回転させながら光ピックアップによってディスク面を走査するディスク装置において、
上記ディスクトレイに備わっている上記開口の口縁周面を、ディスクの回転に伴ってそのディスクとディスクトレイとの隙間空間内に上記開口を通して吸い込まれる空気流を上記隙間空間内に滑らかに導入する傾斜案内面として形成していることを特徴とするディスク装置。
【請求項３】
上記傾斜案内面が、上記ディスクにおける上記開口との対向部位の回転方向に向かう上り勾配を有している請求項２に記載したディスク装置。
【請求項４】
上記開口に、ディスクの半径方向に沿って移動される上記光ピックアップの移動スペースを形成している主開口が含まれている請求項２又は請求項３に記載したディスク装置。
【請求項５】
上記光ピックアップにおける上記傾斜案内面との対向部位の外面形状が、その傾斜案内面に沿う形状の傾斜面として形成されている請求項４に記載したディスク装置。
【請求項６】
上記ディスクトレイに、上記主開口と、上記ディスクの回転軸線を挟んで上記主開口の反対側箇所に開設された第１補助開口とが備わり、それらの主開口と第１補助開口との各形成箇所で発生する空気流の乱れ程度をバランスさせて上記ディスクの全体の面振れを抑制するようにしてある請求項４又は請求項５に記載したディスク装置。
【請求項７】
上記第１補助開口の口縁周面を、ディスクの回転に伴ってそのディスクとディスクトレイとの隙間空間内にその第１補助開口を通して吸い込まれる空気流を上記隙間空間内に滑らかに導入する傾斜案内面として形成してあると共に、その傾斜案内面が、上記ディスクにおける当該第１補助開口との対向部位の回転方向に向かう上り勾配を有している請求項６に記載したディスク装置。
【請求項８】
上記ディスクトレイから浮き上がった位置で回転するディスクを挟んで上記ディスクトレイに対向する平板が備わり、その平板の上記主開口との対向部位に第２補助開口が備わり、それらの主開口と第２補助開口との各形成箇所で発生する空気流の乱れ程度をバランスさせて上記ディスクの全体の面振れを抑制するようにしてある請求項４ないし請求項７のいずれか１項に記載したディスク装置。
【発明の詳細な説明】
【０００１】
【発明の属する技術分野】
本発明は、ディスク装置、特に、光ピックアップによって走査されるディスクが高速回転したときに発生するディスクの面振れを抑制するための対策を講じたディスク装置に関する。
【０００２】
【従来の技術】
この種のディスク装置では、光ピックアップやディスクに対するクランプ機構などを内蔵している筐体に対してディスクを出入れするためのディスクトレイを備えており、そのディスクトレイを図７に例示してある。同図のディスクトレイ１は、直径の異なる２種類のディスクを同心位置に各別に載架することができるようになっていると共に、径大ディスクの載架位置イと径小ディスクの載架位置ロとの間に亘って大きな開口が開設され、その開口が、ディスクの半径方向に沿って移動される上記光ピックアップの移動スペースを形成している。この開口を主開口２とする。また、ディスクトレイ１には、主開口２の他に、特定の可動部品がディスクトレイ１に干渉することを防ぐための逃がし孔３や、図示していない他の役割を担う開口が開設されていることもある。
【０００３】
図８はディスクトレイ１によって筐体に搬入されたディスクＤが、クランプ機構４によりクランプされて回転している状態を示している。この状態では、ディスクＤがディスクトレイ１から浮き上がっている。同図において、５１はクランプ機構４の構成要素であるターンテーブル４１を回転させるためのモータ、６は光ピックアップであって、光ピックアップ６は、ターンテーブル１の主開口２内でディスクＤの半径方向に沿う方向に移動してディスク面を走査する。
【０００４】
図８のように、ディスクトレイ１から浮き上がった位置でディスクＤが回転すると、その回転によってディスクＤとディスクトレイ１との間の隙間空間Ｓに空気流が発生し、その空気流の状態は、ディスクトレイ１における主開口２などの開口の開設箇所と開口の形成されている箇所との間で異なる。なお、図８には矢印によって空気流の状態を説明的に例示してある。
【０００５】
図９は上記隙間空間Ｓでの空気の流速の変化を説明的に示した図面代用グラフである。同図で判るように、主開口２の開設箇所やその近傍箇所の領域Ａでは、開口の開設されていない箇所に比べて空気流の流速が低下している。また、領域Ａでは空気流の乱れ程度が、開口の開設されていない箇所に比べて大きくなっている。なお、図９において、ＣはディスクＤの回転軸線を示している。
【０００６】
このように上記隙間空間Ｓで生じた空気流の乱れ程度の相違を放置すると、そのような空気流の乱れの影響がディスクＤに及んでディスクＤに振動やピッチングといった面振れが発生する。そして、ディスクＤに面振れが起こると、その面振れの程度によっては、光ピックアップによるディスク面の走査精度が損なわれて記録性能や再生性能が損なわれることになる。しかも、このような事態は、近時のディスクＤの回転速度の高速化によっていっそう起こりやすい傾向が生じている。
【０００７】
そこで、従来より、ディスク回転数が１００Ｈｚを越えるような高速回転を越えるような光ディスク装置において、ディスクトレイに、上記した主開口の開設箇所以外の箇所に別途開口を開設したり、突起や窪みを設けたりすることによって、ディスクトレイとディスクとの間の隙間空間内での空気流の乱れをディスクの周方向でバランスさせてディスクの面振れを抑制する対策を講じたものが提案されている（例えば、特許文献１参照）。
【０００８】
また、ディスクトレイから浮き上がった位置で回転するディスクを挟んで上記ディスクトレイに対向する平板を設けることにより、ディスクとディスクトレイの主開口開設箇所との間の隙間空間と、ディスクと平板との間の隙間空間との圧力を均衡させてディスクの面振れを抑制する対策を講じたものも提案されている（例えば、特許文献２又は特許文献３参照）。
【０００９】
これに対し、光記録媒体であるディスクの面振れに光ピックアップのレーザー光スポットを追従させるための対策を講じた光メモリ装置用光ヘッドも提案されている（例えば、特許文献４参照）。
【００１０】
【特許文献１】
特開２０００−２８５５５５号公報
【特許文献２】
特開２００２−１９７７０１号公報
【特許文献３】
特開２００２−２６９８０２号公報
【特許文献４】
特開平６−３０２０００号公報
【００１１】
【発明が解決しようとする課題】
しかしながら、ディスクトレイの主開口開設箇所以外の箇所に開口を開設したり平板を設けたりしただけでは、空気流の乱れに起因するディスクの面振れを抑制する効果が限定され、高速回転するディスクの光ピックアップの走査精度をさらに高めることが困難であることが判った。
【００１２】
本発明は以上の状況に鑑み、ディスクトレイの主開口やその他の開口の口縁周面の形状に工夫を講じることによって、ディスク全体の面振れをいっそう効果的に抑制することのできるディスク装置を提供することを目的とする。
【００１３】
また、本発明は、光ピックアップ自体にも一定の対策を講じることによってディスク全体の面振れをいっそう効果的に抑制することのできるディスク装置を提供することを目的とする。
【００１４】
さらに、本発明は、ディスクトレイに、主開口とは別の開口を形成し、その別の開口の口縁周面の形状に工夫を講じることによって、ディスク全体の面振れをいっそう効果的に抑制することのできるディスク装置を提供することを目的とする。
【００１５】
さらに、本発明は、ディスクの周方向だけでなく、ディスクを挟む両側においても空気流の乱れ程度をバランスさせることによって、ディスク全体の面振れをいっそう効果的に抑制することのできるディスク装置を提供することを目的とする。
【００１６】
【課題を解決するための手段】
本発明に係るディスク装置では、開口を具備するディスクトレイに載架して搬入されたディスクを、そのディスクトレイから浮き上がった位置で回転させながら光ピックアップによってディスク面を走査するディスク装置において、上記ディスクトレイに備わっている上記開口の口縁周面を、ディスクの回転に伴ってそのディスクとディスクトレイとの隙間空間内に上記開口を通して吸い込まれる空気流を上記隙間空間内に滑らかに導入する傾斜案内面として形成している。
【００１７】
これによれば、ディスクの回転に伴ってそのディスクとディスクトレイとの隙間空間内に開口を通して吸い込まれる空気流が、その開口の傾斜案内面によって隙間空間内に滑らかに導入されるので、開口開設箇所での空気流の乱れが少なくなり、その開口開設箇所での空気流の状態とそれ以外の箇所での空気流の状態とが近似してディスクの全体の面振れが抑制される。
【００１８】
本発明において、上記傾斜案内面は、上記ディスクにおける上記開口との対向部位の回転方向に向かう上り勾配を有するものとして形成することが可能である。
【００１９】
本発明では、上記開口に、ディスクの半径方向に沿って移動される上記光ピックアップの移動スペースを形成している主開口が含まれている。この主開口は、一般的に、ディスクトレイに開設される開口の中で最も大きな開口面積を有しているために、ディスクにその面振れに関する影響を及ぼしやすい。そのため、この主開口の口縁周面を上記傾斜案内面として形成することは、ディスクの面振れを抑制する上で極めて有益である。
【００２０】
本発明では、上記光ピックアップにおける上記傾斜案内面との対向部位の外面形状が、その傾斜案内面に沿う形状の傾斜面として形成されていることが望ましく、これによれば、光ピックアップの外面の上記傾斜面によっても、空気流が主開口を通じて滑らかに隙間空間に吸い込まれるようになるので、主開口内で移動する光ピックアップにより空気流が乱されてディスクの面振れが激しくなるという事態が起こらない。
【００２１】
本発明では、上記ディスクトレイに、上記主開口と、上記ディスクの回転軸線を挟んで上記主開口の反対側箇所に開設された第１補助開口とが備わり、それらの主開口と第１補助開口との各形成箇所で発生する空気流の乱れ程度をバランスさせて上記ディスクの全体の面振れを抑制するようにしてあるという構成を採用することが可能である。この発明においては、上記第１補助開口の口縁周面を、ディスクの回転に伴ってそのディスクとディスクトレイとの隙間空間内にその第１補助開口を通して吸い込まれる空気流を上記隙間空間内に滑らかに導入する傾斜案内面として形成してあると共に、その傾斜案内面が、上記ディスクにおける当該第１補助開口との対向部位の回転方向に向かう上り勾配を有している、という構成を採用することが可能である。
【００２２】
これによれば、ディスク回転軸線を挟む両側の２箇所の空気流の乱れ程度が均衡してディスクの全体の面振れが抑制される。
【００２３】
本発明では、上記ディスクトレイから浮き上がった位置で回転するディスクを挟んで上記ディスクトレイに対向する平板が備わり、その平板の上記主開口との対向部位に第２補助開口が備わり、それらの主開口と第２補助開口との各形成箇所で発生する空気流の乱れ程度をバランスさせて上記ディスクの全体の面振れを抑制するようにしてある、という構成を採用することも可能である。これによれば、ディスクの上下で空気流の乱れ程度が均衡してディスクの全体の面振れが抑制される。
【００２４】
本発明に係るディスク装置では、次の構成を採用することも可能である。すなわち、開口を具備するディスクトレイに載架して搬入されたディスクを、そのディスクトレイから浮き上がった位置でクランプして回転させるクランプ機構を備え、そのクランプ機構によって上記ディスクを回転させながら光ピックアップによってディスク面を走査するディスク装置において、上記開口に、ディスクの半径方向に沿って移動される上記光ピックアップの移動スペースを形成している主開口と、上記ディスクの回転軸線を挟んで上記主開口の反対側箇所に開設された第１補助開口とが含まれていると共に、上記ディスクトレイから浮き上がった位置で回転するディスクを挟んで上記ディスクトレイの反対側箇所に配備された平板の上記主開口との対向部位に第２補助開口が開設され、上記主開口の口縁周面と上記第１補助開口の口縁周面とに上記ディスクにおける上記開口との対向部位の回転方向に向かう上り勾配を付与することにより、それらの口縁周面を、ディスクの回転に伴ってそのディスクとディスクトレイとの隙間空間内にその開口を通して吸い込まれる空気流を上記隙間空間内に滑らかに導入する傾斜案内面として形成し、上記主開口の口縁周面によって形成された上記傾斜案内面に対向する箇所での上記光ピックアップの外面形状が、当該傾斜案内面に沿う形状の傾斜面として形成され、上記主開口と第１補助開口と第２補助開口との各形成箇所で発生する空気流の乱れ程度をバランスさせて上記ディスクの全体の面振れを抑制するようにしてある、という構成を採用することも可能である。この発明の作用については次に説明する実施形態を参照して説明する。
【００２５】
【発明の実施の形態】
図１は本発明の実施形態に係るディスク装置に適用されるディスクトレイ１の平面図、図２（Ａ）は図１のＩＩＡ−ＩＩＡ線に沿う部分を拡大断面で示した説明図、図２（Ｂ）は図１のＩＩＢ−ＩＩＢ線に沿う部分を拡大断面で示した説明図である。
【００２６】
図１のディスクトレイ１は、直径の異なる２種類のディスクを同心位置に各別に載架することができるようになっていると共に、径大ディスクの載架位置イと径小ディスクの載架位置ロとの間に亘って大きな開口が開設され、その開口が、ディスクの半径方向に沿って移動される上記光ピックアップの移動スペースを形成している。この開口を主開口２とする。また、ディスクトレイ１には、主開口２の他に、図示していないクランプ機構を備えた上下動可能な可動シャーシのダンパー部（不図示）がディスクトレイ１に干渉することを防ぐための逃がし孔３が開設されている。
【００２７】
図１又は図２（Ａ）のように、主開口２の開設箇所では、ディスクＤの回転方向Ｒで相対向する２つの部位でその口縁周面が傾斜案内面２１，２２として形成されており、これらの傾斜案内面２１，２２は、ディスクＤにおける主開口２との対向部位の回転方向Ｒに向かう上り勾配を有している。また、図１又は図２（Ｂ）のように、逃がし孔３の開設箇所では、ディスクＤの回転方向Ｒで相対向する２つの部位でその口縁周面が傾斜案内面３１，３２として形成されており、これらの傾斜案内面３１，３２も、ディスクＤにおける主開口２との対向部位の回転方向Ｒに向かう上り勾配を有している。
【００２８】
ディスクトレイ１に開設されている主開口２や逃がし孔３の口縁周面が上記の形状に形成されていると、ディスクＤの回転に伴ってそのディスクＤとディスクトレイ１との隙間空間Ｓ内にそれらの主開口２や逃がし孔３を通して吸い込まれる空気流が、矢印で示したようにそれらの傾斜案内面２１，２２，３１，３２によって隙間空間Ｓ内に滑らかに導入されるようになる。そのため、主開口２や逃がし孔３の開設箇所で空気流が乱れが少なくなり、それらの開口開設箇所での空気流の状態とそれ以外の箇所での空気流の状態とが近似してディスクＤの全体の面振れが抑制される。
【００２９】
図３は主開口２又は逃がし孔３の口縁周面の形状の変形例を示している。同図の事例では、ディスクＤの回転方向Ｒの後方側の部位だけを図２（Ａ）（Ｂ）で説明したところと同様の傾斜案内面２１（３１）とし、その対向部位を、傾斜案内面２１（３１）と面対称の傾斜面、すなわちディスクＤにおける主開口２との対向部位の回転方向Ｒに向かう下がり勾配を有する傾斜面２１’（３１’）として形成してある。こうしておくと、主開口２又は逃がし孔３を通して矢印のように隙間空間Ｓに吸い込まれる空気流の一部や隙間空間Ｓを流通する空気流の一部が、傾斜面２１’（３１’）により案内されて主開口２又は逃がし孔３の下側へ矢印のように流出するとしても、主開口２又は逃がし孔３からその下側へ流出する空気流（流出空気流）も滑らかになってその乱れが生じにくくなり、流出空気流の乱れによって、傾斜案内面２１（３１）の整流作用によるディスクＤの全体の面振れ抑制作用が損なわれにくくなる。
【００３０】
図４（Ａ）は光ピックアップ６の外面形状を示した説明図、同図（Ｂ）は変形例による光ピックアップ６の外面形状を示した説明図、同図（Ｃ）は同図（Ａ）の光ピックアップ６を採用した場合の作用説明図、同図（Ｄ）は同図（Ｂ）の光ピックアップ６を採用した場合の作用説明図である。
【００３１】
図４（Ａ）の光ピックアップ６では、図２（Ａ）で説明した主開口２の口縁周面の２つの部位に形成されている傾斜案内面２１，２２のそれぞれとの対向部位の外面形状のそれぞれを、それらの傾斜案内面２１，２２に沿う形状の傾斜面６１，６２として形成してある。こうしておくと、同図（Ｃ）のように、光ピックアップ６の外面の上記傾斜面６１，６２によっても、空気流が主開口２を通じて矢印のように滑らかに隙間空間Ｓに吸い込まれるようになるので、主開口２内で移動する光ピックアップにより空気流が乱されることによって傾斜案内面２１，２２の整流作用によるディスクＤの全体の面振れ抑制作用が損なわれる、という事態が生じにくい。
【００３２】
図４（Ｂ）の光ピックアップ６では、図３で説明した主開口２の口縁周面の傾斜案内面２１との対向部位の外面形状を、その傾斜案内面２１に沿う形状の傾斜面６１として形成し、主開口２の口縁周面の傾斜面２１’との対向部位の外面形状を、その傾斜面２１’に沿う形状の傾斜面６１’として形成してある。こうしておくと、同図（Ｄ）のように、光ピックアップ６の外面の上記傾斜面６１，６１’によっても空気流が主開口２を通じて矢印のように滑らかに隙間空間Ｓに吸い込まれたり主開口２から矢印のように流出したりするようになるので、主開口２内で移動する光ピックアップにより空気流が乱されることによって傾斜案内面２１，２１’の整流作用によるディスクＤの全体の面振れ抑制作用が損なわれる、という事態が生じにくい。
【００３３】
光ピックアップ６の外面形状を傾斜面として形成するには、傾斜面を有するカバーを光ピックアップに装着したり、あるいは、光ピックアップの外面自体を傾斜面として形成すればよい。
【００３４】
図５（Ａ）は主開口２と共に第１補助開口７を開設した事例であるディスクトレイ１の平面図、同図（Ｂ）はディスクＤがディスクトレイ１から浮き上がった位置で回転している状態を示している。
【００３５】
このディスクトレイ１において、第１補助開口７は、ディスクＤの回転軸線Ｃを挟んで主開口２の反対側箇所に開設されていて、その第１補助開口７の口縁周面の２つの部位を、ディスクＤにおける第１補助開口７との対向部位の回転方向Ｒに向かう上り勾配を有する傾斜案内面７１，７２として形成してある。そして、それらの傾斜案内面７１，７２が、ディスクＤの回転に伴ってそのディスクＤとディスクトレイ１との隙間空間Ｓ内にその第１補助開口７を通して吸い込まれる空気流を隙間空間Ｓ内に滑らかに導入する作用を発揮するようにしてある。こうしておくと、主開口２と第１補助開口７との各形成箇所で発生する空気流の乱れ程度が、ディスクＤの回転軸線Ｃを挟む両側の２箇所でバランスしてディスクＤの全体の面振れが抑制される。
【００３６】
図６（Ａ）は第２補助開口８を有する平板９を備えた事例であるディスク装置を概略で示した一部破断側面図、同図（Ｂ）は平板９の斜視図である。
【００３７】
平板９は、ディスクトレイ１から浮き上がった位置で回転するディスクＤを挟んでディスクトレイ１に対向する位置に配備されていて、その平板９の第２補助開口８が、主開口２との対向部位に位置している。そして、主開口２と第２補助開口８との各形成箇所で発生する空気流の乱れ程度をバランスさせてディスクＤの全体の面振れを抑制するようにしてある。こうしておくと、主開口２と第２補助開口８との各形成箇所では、ディスクＤの上側と下側とで空気流の乱れ程度が均衡してディスクＤの全体の面振れが抑制される。
【００３８】
図６（Ａ）（Ｂ）で判るように、上記平板９は中心孔部９２を備えていて、その中心孔部９２によって、クランプ機構４の構成要素であるターンテーブル４１の相手側要素、つまり磁石を内蔵したディスク押圧体４２を保持している。
【００３９】
以上説明した各事例を組み合わせることによって本発明に係るディスク装置を構成することも可能である。このような組み合わせに係るディスク装置では、次の構成を採用することが可能である。
【００４０】
すなわち、ディスクトレイ１に、図１などに示した主開口２と、図５（Ａ）などに示した第１補助開口７とが形成され、ディスクトレイ１から浮き上がった位置で回転するディスクＤを挟んでディスクトレイ１の反対側箇所に図６（Ｂ）の平板９を配備する。主開口２の口縁周面に図１の傾斜案内面２１，２２を具備させ、第１補助開口７に図５の傾斜案内面７１，７２を具備させる。平板９に図６（Ｂ）の第２補助開口８を形成し、その補助開口８を図６のように位置させる。このように構成されたディスク装置では、主開口２と第１補助開口７と第２補助開口８との各形成箇所で発生する空気流の乱れ程度がバランスしてディスクＤの全体の面振れが抑制される。
【００４１】
【発明の効果】
以上のように、本発明によれば、ディスクトレイの主開口やその他の開口の口縁周面を所定の形状にしたり、光ピックアップの外面形状を所定の形状にしたり、平板の所定箇所に開口を形成したりすることなどによって、ディスク全体の面振れが抑制される。そのため、冒頭で説明した特許文献１や特許文献２，３などに見られるものよりもディスク全体の面振れ抑制作用に優れている。したがって、高速回転するディスクの光ピックアップの走査精度をさらに高めて、高速回転するディスクに対する読取り精度や書込み精度を向上させることが可能になる。
【図面の簡単な説明】
【図１】本発明の実施形態に係るディスク装置に適用されるディスクトレイの平面図である。
【図２】（Ａ）は図１のＩＩＡ−ＩＩＡ線に沿う部分を拡大断面で示した説明図、（Ｂ）は図１のＩＩＢ−ＩＩＢ線に沿う部分を拡大断面で示した説明図である。
【図３】主開口又は逃がし孔の口縁周面の形状の変形例を示した説明図である。
【図４】（Ａ）は光ピックアップの外面形状を示した説明図、（Ｂ）は変形例による光ピックアップの外面形状を示した説明図、（Ｃ）は（Ａ）の光ピックアップを採用した場合の作用説明図、（Ｄ）は（Ｂ）の光ピックアップを採用した場合の作用説明図である。
【図５】（Ａ）は主開口と共に第１補助開口を開設したディスクトレイの平面図、（Ｂ）はディスクがディスクトレイから浮き上がった位置で回転している状態を示した説明図である。
【図６】（Ａ）は第２補助開口を有する平板を備えたディスク装置を概略で示した一部破断側面図、（Ｂ）は平板の斜視図である。
【図７】ディスク装置のディスクトレイを例示した斜視図である。
【図８】ディスクが回転している状態を示した説明図である。
【図９】隙間空間での空気の流速の変化を説明的に示した図面代用グラフである。
【符号の説明】
Ｄ  ディスク
１  ディスクトレイ
２  主開口
４  クランプ機構
６  光ピックアップ
７  第１補助開口
８  第２補助開口
２１，２２，７１，７２  傾斜案内面
６１，６２  傾斜面
【図１】
2004326911.tif 000003
【図２】
2004326911.tif 000004
【図３】
2004326911.tif 000005
【図４】
2004326911.tif 000006
【図５】
2004326911.tif 000007
【図６】
2004326911.tif 000008
【図７】
2004326911.tif 000009
【図８】
2004326911.tif 000010
【図９】
2004326911.tif 000011